(57)【要約】【課題】従来の磁気ストライプの書き込み装置においては、ジッタ特性が１種類であるために、作成される磁気カードは同じジッタ特性となり、出荷試験のための磁気カードを作成する際に、マージン試験を実施するための様々なジッタ特性の磁気カードを作成することを同じ装置ではできない。そこで、それぞれのジッタ特性のカードにはそれに対応した装置が必要となるという問題がある。【解決手段】磁気カードへのデータ記録を行う磁気ヘッドと磁気カードとの相対移動量を検出するスケールユニットを備え、該スケールユニットからの移動信号に基づいて移動量をカウントするカウンタ部と、サブインターバルの間隔に相当するカウント値を格納するパターンメモリと、記録するデータを格納するデータメモリと、パターンメモリに格納されたカウント値とカウンタ部のカウント値を比較するパターン比較部と、正弦波変調部もしくは三角波変調部とを設け、変調角度、変調振幅を設定することにより、書き込みジッタ特性を正弦波もしくは三角波により、自由に定めた正弦波ジッタ特性をもつ磁気カードを作成する。【選択図】        図１
2004280870.tif 000002
【特許請求の範囲】
【請求項１】
磁気カードへのデータ記録を行う磁気ヘッドと磁気カードとの相対移動量を検出するスケールユニットを備え、
該スケールユニットからの移動信号に基づいて移動量をカウントするカウンタ部と、
サブインターバルの間隔に相当するカウント値を格納するパターンメモリと、
記録するデータを格納するデータメモリと、
パターンメモリに格納された複数のカウント値とカウンタ部のカウント値を比較するパターン比較部と、
正弦波変調部とを設け、変調角度、変調振幅を設定することにより、書き込みジッタ特性を正弦波により、自由に定めた正弦波ジッタ特性をもつ磁気カードを作成する磁気カード記録装置。
【請求項２】
請求項１において、正弦波変調部をファームウェアで構成することにより、書き込みジッタ特性を正弦波により、自由に定めた正弦波ジッタ特性をもつ磁気カードを作成する磁気カード記録装置。
【請求項３】
磁気カードへのデータ記録を行う磁気ヘッドと磁気カードとの相対移動量を検出するスケールユニットを備え、
該スケールユニットからの移動信号に基づいて移動量をカウントするカウンタ部と、
サブインターバルの間隔に相当するカウント値を格納するパターンメモリと、
記録するデータを格納するデータメモリと、
パターンメモリに格納された複数のカウント値とカウンタ部のカウント値を比較するパターン比較部と、
三角波変調部とを設け、変調角度、変調振幅を設定することにより、書き込みジッタ特性を三角波により、自由に定めた三角波ジッタ特性をもつ磁気カードを作成する磁気カード記録装置。
【請求項４】
請求項３において、三角波変調部をファームウェアで構成することにより、書き込みジッタ特性を三角波により、自由に定めた三角波ジッタ特性をもつ磁気カードを作成する磁気カード記録装置。
【発明の詳細な説明】
【０００１】
【発明の属する技術分野】
本発明は、磁気カードの磁気ストライプに書き込みを行う装置に関する。
【０００２】
【従来の技術】
磁気ストライプの書き込み（以下ライトという。）を行うときの波形を図１８に示す。
波形はリード波形を示し、ライト電流が−→＋あるいは＋→−に変化した箇所が読み取り（以下リードという。）時の波形の頂点となる。この距離をジッタという（例えば特許文献１参照。）。このジッタは規格により定められている。
【０００３】
磁気ストライプにライトする際に、電流の変化タイミング、つまり、−→＋あるいは＋→−に変化するタイミングを如何に正確に変化させられるかがライト精度に大きく影響することになる。
【０００４】
【特許文献１】
特開２０００ー３４８４４１号
【０００５】
【発明が解決しようとする課題】
ところが、従来のこのような磁気ストライプの書き込み装置においては、ジッタ特性が１種類となっているために、作成される磁気カードはすべて同じジッタ特性であり、出荷試験のための磁気カードを作成する際に、マージン試験を実施するための様々なジッタ特性の磁気カードを作成することを同じ装置ではできない。そこで、それぞれのジッタ特性のカードにはそれに対応した装置が必要となるという問題がある。
【０００６】
【課題を解決するための手段】
そこで、本発明は、上記の課題を解決するために以下のような構成とする。
すなわち、第１の発明は、磁気カードへのデータ記録を行う磁気ヘッドと磁気カードとの相対移動量を検出するスケールユニットを備え、該スケールユニットからの移動信号に基づいて移動量をカウントするカウンタ部と、サブインターバルの間隔に相当するカウント値を格納するパターンメモリと、記録するデータを格納するデータメモリと、パターンメモリに格納された複数のカウント値とカウンタ部のカウント値を比較するパターン比較部と、正弦波変調部とを設け、変調角度、変調振幅を設定することにより、書き込みジッタ特性を正弦波により、自由に定めた正弦波ジッタ特性をもつ磁気カードを作成するものである。
【０００７】
つぎに、第２の発明は、磁気カードへのデータ記録を行う磁気ヘッドと磁気カードとの相対移動量を検出するスケールユニットを備え、該スケールユニットからの移動信号に基づいて移動量をカウントするカウンタ部と、サブインターバルの間隔に相当するカウント値を格納するパターンメモリと、記録するデータを格納するデータメモリと、パターンメモリに格納された複数のカウント値とカウンタ部のカウント値を比較するパターン比較部と、三角波変調部とを設け、変調角度、変調振幅を設定することにより、書き込みジッタ特性を三角波により、自由に定めた三角波ジッタ特性をもつ磁気カードを作成するものである。
【０００８】
さらに、上記第１の発明および第２の発明において、正弦波変調部および三角波変調部をファームウェアで構成することにより、書き込みジッタ特性を正弦波もしくは三角波により、自由に定めた正弦波もしくは三角波ジッタ特性をもつ磁気カードを作成するものである。
【０００９】
【発明の実施の形態】
以下に本発明の実施の形態例を図面を用いて説明する。
第１実施の形態例
図４に磁気カード記録装置の構成図を示す。
磁気カード１６が固定されており、スケールユニット２がボールねじと直動案内軸受を一体化したモノキャリア１３と平行に配置され、このモノキャリア１３の移動部１４に磁気ヘッド９が搭載されている。この磁気ヘッド９の固定部材の一部がスケールユニット移動部１５に固定されている。１２は駆動源としてのＤＣモータである。
【００１０】
このような構成により、モノキャリア１３のボールねじをＤＣモータ１２で駆動することにより、モノキャリア１３の移動部１４に搭載されている磁気ヘッド９が矢印方向に移動し、スケールユニット移動部１５も同様に磁気ヘッド９と共に移動することになり、その磁気ヘッド９の実移動量を直接測定することができる。
【００１１】
そこで、本実施の形態例で使用するスケールユニットの移動量検出方式としては、例えば一般的によく知られている光電式インクレメンタル方式があり、固定ピッチ毎に設けられた刻線によるモアレ縞を検出することにより移動量を検出するものである。
つぎに、図１は、本実施の形態例の磁気カード記録装置の構成を示すブロック図である。
【００１２】
図において、１は主制御部であるＣＰＵであり、パターンメモリ３を介して正弦波変調部１０さらにパターン比較部６、データ比較部７、アナログ回路８および磁気ヘッドに接続し、さらにＣＰＵ１はデータメモリ４を介して上記データ比較部７に接続してある。
２はスケールユニットであり、カウンター部５を介して上記正弦波変調部１０とパターン比較部６と接続している。
【００１３】
上記正弦波変調部１０は、パターンメモリ３より磁気書き込みタイミングを受け取り、カウンタ部５より磁気書き込み位置の情報を受け取り、パターン比較部６に対して変調後の磁気書き込みタイミングを渡すものである。
上記パターン比較部６の出力およびデータメモリ４の出力がデータ比較部７の入力として接続され、データ比較部７の出力はアナログ回路８に接続され、このアナログ回路８の出力は、磁気ヘッド９および上記ＤＣモータ１２に接続されている。
【００１４】
磁気カードにはＪＩＳ規格Ｘ６３０１あるいはＸ６３０２付属書規定によって規定されているようにエンボス文字および磁気ストライプがエンボス側あるいはその反対側面に設けられている。
図２は上記磁気カードの磁気ストライプへの記録、再生時の各種信号波形を示している。
【００１５】
図２（ａ）は記録時の磁気ヘッド電流、図２（ｂ）は記録された磁気ストライプ上の磁気の方向、図２（ｃ）は磁気ストライプ上の磁束、図２（ｄ）は磁気ストライプ再生波形を示している。
図２（ａ）の磁気ヘッド電流により磁気ストライプ上に図２（ｂ）のような磁気の方向が記録され、図２（ｃ）のような磁束φが磁気ストライプ上に発生しているので、磁気ヘッドにより磁束φの時間変化に比例した電圧に変換され、Ａ＊（ｄφ／ｄｔ）が磁気ストライプ再生信号として図２（ｄ）の信号が得られる。
【００１６】
上記のような記録再生される磁気カードのデータ記録方式としてはＪＩＳ規格Ｘ６３０２等で規定されており、Ｆ２Ｆ記録方式が使用される。
この方式は、図３に示す如く、自己同期形の連続記録方式であり、図３（ａ）の自己同期クロックの間隔ｔの間に磁束反転があればビット１であることを意味し、間隔ｔの間に磁束反転がなければビット０を意味する方式である。
【００１７】
例えば、図３（ａ）の場合は、間隔ｔの間にすべて磁束反転がないのですべてのビットが０となり、図３（ｂ）の場合は、間隔ｔの間にすべて磁束反転があるのですべてのビットが１となり、図３（ｃ）の場合は、▲１▼の間隔では磁束反転があるのでビットが１となり、▲２▼の間隔では磁束反転がないのでビットが０となり、▲３▼の間隔では磁束反転があるのでビットが１となり、▲４▼の間隔では磁束反転がないのでビットが０となり、▲５▼の間隔では磁束反転がないのでビットが０となり、１０１００のデータとして再生される。
【００１８】
図２（ｄ）の磁気ストライプ再生信号は、ライト電流が＋→−あるいは−→＋に反転した箇所が波形の頂点となっており、再生時、この磁気ストライプ再生信号のピーク位置を検出し、ピーク位置にて磁束が反転していると判断し、上述のＦ２Ｆ記録方式に従い記録データを再生する。
この波形の頂点間を、ビット０のときの間隔としてビットセル、ビット１のときの間隔としてサブインターバルといい、これらの変動を上記の如く、ジッタと称しており、ＪＩＳ規格Ｘ６３０２（高保持力磁気カード）のトラック１では未使用記録済カードとしてビットセルＢｉｎは１２１μｍ±１２μｍ、サブインターバルＳｉｎは６０．５μｍ±７．５μｍ、返却カードとしてビットセルＢｉｎは１２１μｍ±１８μｍ、サブインターバルＳｉｎは６０．５μｍ±１２．１μｍと規定されている。ここで、６０．５μｍは１インチ＝２．５３９９ｃｍであるので、１インチあたりのビット密度は４２０ＢＰＩに相当する。
【００１９】
そこで本実施の形態例の磁気カード記録装置は以下のように動作する。
すなわち、ＤＣモータ１２にて回転駆動することによりモノキャリア１３の移動部１４に搭載された磁気ヘッド９が移動し、この移動と共にスケールユニット２のスケールユニット移動部１５が移動するときに、スケールユニット２から図５（ａ）、（ｂ）、（ｃ）の信号Ａおよび信号Ｂの２相信号が出力される。
【００２０】
この２相信号は、例えば０．５μｍ移動する毎に各相交互に信号が変化するので、この２相信号の立ち上がり、立ち下がり微分をとった図５（ｃ）の微分波形をカウントすることにより移動距離を検出することにより判定でき、移動方向によりカウントアップ、カウントダウンをおこなうようにすることができるが、本実施の形態例では一定方向に磁気ヘッド９を移動し、記録を行うので移動方向は検出せず、移動量のみカウントする方法を採用している。
【００２１】
ここで、磁気カード１６の磁気ストライプをすべて１のデータをライトする場合、その間隔は、上述の如く、サブインターバルとなり、６０．５μｍであるので、スケールユニット２信号によるカウント値に換算すると、６０．５μｍ／０．５μｍ＝１２１となり、カウント値が１２１になったときに磁気ヘッド９の記録電流を反転すれば磁気ストライプにすべて１のデータをライトすることができる。
【００２２】
例えば、データ１０１００を記録する場合は、ＣＰＵ１は図６のようにパターンメモリ３にサブインターバルに相当するカウント値１２１を格納し、データメモリ４に”１””０””１””０””０”を順次格納する。
以上のようにパターンメモリ３およびデータメモリ４へのデータ格納後、ＣＰＵは、アナログ回路８を制御し、磁気ヘッド９に＋の記録電流を印加し、記録動作を開始させる。パターン比較部６は、パターンメモリ３のＮｏ．１に格納されている１２１カウントをリードし、カウンタ部５のカウント値との比較を開始し、一致したときにカウント一致通知信号をデータ比較部７に通知すると共にカウンタ部５のカウント値をリセットする。
【００２３】
カウント一致通知信号を受信したデータ比較部７は、データメモリ４内に格納されているＮｏ．１のデータである１をリードし、１であるので磁束反転を行うようにアナログ回路８に通知し、磁気ヘッド９の記録電流を反転させる。
つぎに、パターンメモリ３のＮｏ．２にはなにも格納されていないので、既にリードした１２１カウントとカウンタ部５のカウント値との比較を開始し、カウンタ部５のカウント値が１２１カウントになると、カウント一致通知信号をデータ比較部７に通知する。
【００２４】
データ比較部７は、パターン比較部６からのカウント一致の通知を受けると、既にデータメモリ４内に格納されているＮｏ．１のデータ処理を終了しているので、単に磁束反転を行うようにアナログ回路８に通知し、磁気ヘッド９の記録電流を反転させる。
つぎに、パターンメモリ３のＮｏ．２にはなにも格納されていないので、既にリードした１２１カウントとカウンタ部５のカウント値との比較を開始し、カウンタ部５のカウント値が１２１カウントになると、カウント一致通知信号をデータ比較部７に通知する。
【００２５】
データ比較部７は、パターン比較部６からのカウント一致の通知を受けると、既にデータメモリ４内に格納されているＮｏ．２のデータ０をリードし、データ０であるので磁束反転しないようにアナログ回路８に通知し、磁気ヘッド９の記録電流をそのままとする。
つぎに、パターンメモリ３のＮｏ．２にはなにも格納されていないので、既にリードした１２１カウントとカウンタ部５のカウント値との比較を開始し、カウンタ部５のカウント値が１２１カウントになると、カウント一致通知信号をデータ比較部７に通知する。
【００２６】
データ比較部７は、パターン比較部６からのカウント一致の通知を受けると、既にデータメモリ４内に格納されているＮｏ．２のデータ処理を終了しているので、単に磁束反転を行うようにアナログ回路８に通知し、磁気ヘッド９の記録電流を反転させる。
以下同様にしてデータ１００に対し、データ比較部７にて磁束反転させるかどうかを判断し、アナログ回路８を制御し、磁気ヘッド９の記録電流を制御することにより、磁気ストライプにデータが記録され、データメモリ４のデータがなくなり、最後に磁気ヘッド９の記録電流を反転後、ＣＰＵ１は記録電流印加を終了するようにアナログ回路８に通知し、記録動作は終了する。
【００２７】
そこで、本実施の形態例では上記の如く、正弦波変調部１０を設けることにより、カウンタ部５より磁気書き込み位置の情報を受け取り、パターン比較部６に対して変調後の磁気書き込みタイミングを渡すようにしてある。
図７は正弦波設定の図である。図７では、８５ｍｍのカードで磁気ストライプの書き込み領域も８５ｍｍのカードの場合を示す。
【００２８】
スケールユニットのカウントは０．５μｍ毎のためカード磁気ストライプの書き込み幅の総カウント値は８５ｍｍ／０．５μｍ＝１７００００となる。
ライト動作の前にまず、正弦波変調部１０に対して、図７の変調角度Ａおよび変調振幅Ｂを設定する。図７は、変調角度Ａ：３６０°の場合の設定を記載している。角度の設定の制限は特になく自由に設定できるものとする。変調振幅Ｂは、最大のずれ幅を設定するもので、単位はスケールユニットのカウント数とする。  ライト動作が開始されると、上記変調角度Ａ、変調振幅Ｂの設定により、ライトタイミングを変化させながら、磁気ライトを実施する。ライトタイミングの変化幅は、以下の式により決定する（図７の場合）。
【００２９】
式：変化幅＝ｓｉｎ（（ｃｏｕｎｔ値／１７００００）×変調角度Ａ）×変調振幅Ｂ
ｃｏｕｎｔ値：カードの書き込み位置（０〜１７００００）
〔例１〕
変調振幅Ｂ＝１０カウント、上記ｃｏｕｎｔ値：４２５００の位置での変化幅は、
変化幅＝ｓｉｎ（（４２５００／１７００００）×３６０°）×１０＝＋１０となり、＋１０カウント分（０．５μｍ×１０＝５．０μｍ）シフトしてライトする。
【００３０】
〔例２〕
変調振幅Ｂ＝１０カウント、上記ｃｏｕｎｔ値：１０６２５０の位置での変化幅は、
変化幅＝ｓｉｎ（（１０６２５０／１７００００）×３６０°）×１０＝−７．０７  ＊四捨五入
＝−７カウント
となり、−７カウント分（０．５μｍ×−７＝−３．５μｍ）シフトしてライトする。
【００３１】
図８に＜例１＞、＜例２＞近傍での書き込みイメージ図を示す。
このように本実施の形態例によると、正弦波変調部１０を設け、変調角度Ａ、変調振幅Ｂを設定することにより、書き込みジッタ特性を正弦波により自由に振ることが可能であり、正弦波ジッタ特性をもつ磁気カードを作成することができる。
【００３２】
第２実施の形態例
上記第１実施の形態例と同様な構成で、本実施の形態例では正弦波変調部１０の実現方法について、ファームウェアで実現した事例を示す。
以下にファームウェアの動作を説明する。
用いる総カウント数、変調角度Ａ、変調振幅Ｂ、パターンメモリ値（パターンメモリ３の値）、カウンタ部５のカウンタ値は上記第１実施の形態例のものと同じ値で、ＪＩＳＩＩ、磁気ストライプ幅８５ｍｍを例に示す。
図９に動作のフローチャートを示し、図１０にそのときのイメージ図を示す。
【００３３】
図中のｔは、磁気書き込み箇所の回数を示し、変調がない場合は、１２１カウント毎の箇所を示す。変化幅ｄｔは、パターンメモリ３の値の変調分を示す。
変調後のデータＹは、パターン比較部６でカウンタ部５と比較する値で、変調後の磁気書き込み箇所、前回書き込んだ位置からの移動数（カウント数）を示す。（Ｙｔは、ｔ回目の変調後のデータを示す。）
そこではじめに、上位から総カウント数、変調角度Ａ、変調振幅Ｂ、パターンメモリ値が与えられる。
【００３４】
つぎに、状態Ａ：ｔ−１のヘッドの位置で、ｔまでの移動カウント数Ｙｔを算出する。
まず、与えられた値を基に変化幅ｄｔを算出する。ｄｔの算出式は、上記第１実施の形態例に示す式で次の通りとなる。
ｄｔ＝ｓｉｎ（（ｃｏｕｎｔ値／総カウント値）×変調角度Ａ）×変調振幅Ｂ
（ｔ回目でのｃｏｕｎｔ値＝（パターンメモリ３の値）×ｔ）
図１０のイメージ図より、１回目の変調後データＹｔは、つぎの通りとなる。
【００３５】
Ｙｔ＝（パターンメモリ３の値）＋ｄｔ−ｄ（ｔ−１）
つぎに、状態Ｂでは、カウンタ部５のカウント値とＹを比較する。
そこで、イコールとなったとき、状態Ｃでｔ＝ｔ＋１として、次の磁気書き込み箇所の算出に移る。また、カウント値もリセットされる。
＜例１＞
図１１にｔ＝１のときの例を示す。
【００３６】
第１実施の形態より、
総カウント数：１７００００、変調角度：３６０°、変調振幅Ｂ：１０、パターンメモリ値：１２１
変化幅の初期値Ｄ０＝０
ｔ＝１での変化幅ｄ１は、
ｄ１＝ｓｉｎ（（１２１×１／１７００００）×３６０）×１０＝０（小数点第１位を四捨五入）となる。したがって、
Ｙ１＝１２１＋０−０＝１２１となる。
【００３７】
＜例２＞
図１２にｔ＝１２のときの例を示す。
第１実施の形態より、
総カウント数：１７００００、変調角度：３６０°、変調振幅Ｂ：１０、パターンメモリ値：１２１
変化幅の初期値Ｄ１１＝０
ｔ＝１２での変化幅ｄ１２は、
ｄ１２＝ｓｉｎ（（１２１×１／１７００００）×３６０）×１０＝１（小数点第１位を四捨五入）となる。したがって、
Ｙ１＝１２１＋１−０＝１２２となる。
【００３８】
このように本実施の形態例によると、正弦波変調部１０をファームウェアで構成することができ、正弦波ジッタ特性をもつ磁気カードを作成することができる。
第３実施の形態例
図１３にその構成図を示す。
【００３９】
この実施の形態例は、上記第１実施の形態例における正弦波変調部１０を三角波変調部１１とし、三角波の制御を行うことを特徴とする。その他の構成は上記と同様である。
図１４は三角波設定図である。
ライト動作の前にまず、三角波変調部１１に対して図１４の変調周期Ｃおよび変調振幅Ｄを設定する。変調周期とは、図１４に示す如く、１／４周期を１とする。
【００４０】
図１４は、変調周期Ｃ＝４の場合の設定を記載している。周期の設定の制限は、特になく、整数で自由に設定できるものとする。変調振幅Ｄは、最大のずれ幅を設定するもので、単位は上記第１実施の形態例と同様にスケールユニットのカウント数とする。
そこで、ライト動作が開始されると、上記変調周期Ｃ、変調振幅Ｄの設定により、ライトタイミングを変化させながら、磁気ライトを実施する。ライトタイミングの変化幅は、以下の式により決定する（図１４の場合）。
【００４１】
式：変化幅＝（−１）ｎ  （ｘ−２ｎ）×変調振幅Ｄ
条件：（２ｎ−１≦ｘ＜２ｎ＋１  ｎ：整数）
ｘ＝（ｃｏｕｎｔ値／１７００００）×Ｃ
ｎ＝０：０≦ｃｏｕｎｔ値＜１７００００／Ｃ
ｎ＝１：１７００００／Ｃ≦ｃｏｕｎｔ値＜（１７００００／Ｃ）×３
ｎ＝２：（１７００００／Ｃ）×３≦ｃｏｕｎｔ値≦１７００００
＊ｃｏｕｎｔ値：カードの書き込み位置（０〜１７００００）
Ｃ＝４
＜例１＞
変調振幅Ｄ＝１０カウント、上記ｃｏｕｎｔ値：４２５００の位置での変化幅は、
ｘ＝（ｃｏｕｎｔ値／１７００００）×Ｃ＝１
ｎ＝１より、
変化幅＝（−１）ｎ  （ｘ−２ｎ）×変調振幅Ｄ＝＋１０
となり、＋１０カウント分（０．５μｍ×１０＝５．０μｍ）シフトしてライトする。
【００４２】
＜例２＞
変調振幅Ｄ＝１０カウント、上記ｃｏｕｎｔ値：１０６２５０の位置での変化幅は、
ｘ＝（ｃｏｕｎｔ値／１７００００）×Ｃ＝２．５
ｎ＝１より、
変化幅＝（−１）ｎ  （ｘ−２ｎ）×変調振幅Ｄ＝−５
となり、−５カウント分（０．５μｍ×−５＝−２．５μｍ）シフトしてライトする。
【００４３】
このように本実施の形態例によると、三角波変調部１１を設け、変調周期Ｃ、変調振幅Ｄを設定することにより、書き込みジッタ特性を三角波により自由に振ることが可能であり、三角波ジッタ特性をもつ磁気カードを作成することができる。
第４実施の形態例
上記第３実施の形態例と同様な構成で、本実施の形態例では三角波変調部１１の実現方法について、ファームウェアで実現した事例を示す。
【００４４】
以下にファームウェアの動作を説明する。
用いる総カウント数、変調周期Ｃ、変調振幅Ｄ、パターンメモリ値（パターンメモリ３の値）、カウンタ部５のカウンタ値は上記第３実施の形態例のものと同じ値で、ＪＩＳＩＩ、磁気ストライプ幅８５ｍｍを例に示す。
図１５に動作のフローチャートを示し、図１０にそのときのイメージ図を示す。
【００４５】
図中のｔは、磁気書き込み箇所の回数を示し、変調がない場合は、１２１カウント毎の箇所を示す。変化幅ｄｔは、パターンメモリ３の値の変調分を示す。
変調後のデータＹは、パターン比較部６でカウンタ部５と比較する値で、変調後の磁気書き込み箇所、前回書き込んだ位置からの移動数（カウント数）を示す。（Ｙｔは、ｔ回目の変調後のデータを示す。）
そこではじめに、上位から総カウント数、変調周期Ｃ、変調振幅Ｄ、パターンメモリ値が与えられる。
【００４６】
つぎに、状態Ａ：ｔ−１のヘッドの位置で、ｔまでの移動カウント数Ｙｔを算出する。
まず、与えられた値を基に変化幅ｄｔを算出する。ｄｔの算出式は、上記第３実施の形態例に示す式で次の通りとなる。
変化幅ｄｔ＝（−１）ｎ  （ｘ−２ｎ）×変調振幅Ｄ
条件：（２ｎ−１≦ｘ＜２ｎ＋１  ｎ：整数）
ｘ＝（ｃｏｕｎｔ値／１７００００）×Ｃ
ｎ＝０：０≦ｃｏｕｎｔ値＜１７００００／Ｃ
ｎ＝１：１７００００／Ｃ≦ｃｏｕｎｔ値＜（１７００００／Ｃ）×３
ｎ＝２：（１７００００／Ｃ）×３≦ｃｏｕｎｔ値≦１７００００
＊ｃｏｕｎｔ値：カードの書き込み位置（０〜１７００００）
Ｃ＝４
図１０のイメージ図より、１回目の変調後データＹｔは、つぎの通りとなる。
【００４７】
Ｙｔ＝（パターンメモリ３の値）＋ｄｔ−ｄ（ｔ−１）
つぎに、状態Ｂでは、カウンタ部５のカウント値とＹを比較する。
そこで、イコールとなったとき、状態Ｃでｔ＝ｔ＋１として、次の磁気書き込み箇所の算出に移る。また、カウント値もリセットされる。
＜例１＞
図１６にｔ＝１のときの例を示す。
【００４８】
第３実施の形態より、
総カウント数：１７００００、変調角度：３６０°、変調振幅Ｄ：１０、パターンメモリ値：１２１
変化幅の初期値Ｄ０＝０
ｔ＝１での変化幅ｄ１は、
ｄ１＝ｓｉｎ（（１２１×１／１７００００）×３６０）×１０＝０（小数点第１位を四捨五入）となる。したがって、
Ｙ１＝１２１＋０−０＝１２１となる。
【００４９】
＜例２＞
図１７にｔ＝１２のときの例を示す。
第３実施の形態より、
総カウント数：１７００００、変調角度：３６０°、変調振幅Ｄ：１０、パターンメモリ値：１２１
変化幅の初期値Ｄ１１＝０
ｔ＝１２での変化幅ｄ１２は、
ｄ１２＝ｓｉｎ（（１２１×１／１７００００）×３６０）×１０＝１（小数点第１位を四捨五入）となる。したがって、
Ｙ１＝１２１＋１−０＝１２２となる。
【００５０】
このように本実施の形態例によると、三角波変調部１１をファームウェアで構成することができ、三角波ジッタ特性をもつ磁気カードを作成することができる。
【００５１】
【発明の効果】
以上詳細に説明した本発明によると、複数のジッタ特性の磁気カードを作成することが可能となり、これにより、マージン試験を実施するための様々なジッタ特性の磁気カードを作成することができる効果を有する。
【図面の簡単な説明】
【図１】第１実施の形態例の磁気カード記録装置の構成を示すブロック
【図２】磁気ストライプへの記録、再生時の各種信号の説明図
【図３】Ｆ２Ｆ記録方式の説明図
【図４】磁気カード記録装置の機構図
【図５】磁気カード記録装置のスケールユニット出力信号によるカウント動作説明図
【図６】磁気カード記録装置のパターンメモリおよびデータメモリの構成図
【図７】正弦波設定の説明図
【図８】書き込みイメージ図
【図９】正弦波変調部ｔ回目の動作フロー
【図１０】変調時のイメージ図
【図１１】正弦波変調部の動作フロー
【図１２】正弦波変調部の動作フロー
【図１３】第３実施の形態例の磁気カード記録装置の構成を示すブロック
【図１４】三角波設定の説明図
【図１５】三角波変調部ｔ回目の動作フロー
【図１６】三角波変調部の動作フロー
【図１７】三角波変調部の動作フロー
【図１８】磁気ストライプリード波型の説明図
【符号の説明】
１  ＣＰＵ
２  スケールユニット
３  パターンメモリ
４  データメモリ
５  カウンタ部
６  パターン比較部
７  データ比較部
８  アナログ回路
９  磁気ヘッド
１０  正弦波変調部
１１  三角波変調部
１２  ＤＣモータ
１３  モノキャリア
１４  モノキャリア移動部
１５  スケールユニット移動部
１６  磁気カード
【図１】
2004280870.tif 000003
【図２】
2004280870.tif 000004
【図３】
2004280870.tif 000005
【図４】
2004280870.tif 000006
【図５】
2004280870.tif 000007
【図６】
2004280870.tif 000008
【図７】
2004280870.tif 000009
【図８】
2004280870.tif 000010
【図９】
2004280870.tif 000011
【図１０】
2004280870.tif 000012
【図１１】
2004280870.tif 000013
【図１２】
2004280870.tif 000014
【図１３】
2004280870.tif 000015
【図１４】
2004280870.tif 000016
【図１５】
2004280870.tif 000017
【図１６】
2004280870.tif 000018
【図１７】
2004280870.tif 000019
【図１８】
2004280870.tif 000020